(57)【要約】【課題】  センターシステムへの通信処理の負荷集中を避けながら、中間階層の需要家または発電所が設備の定期点検または故障などで一時的に脱退または脱落しても、各階層の需要家または発電所からの情報を支障なく収集する手段を備えた電力需給管理システムを提供する。【解決手段】  需要家または発電所１００は、一段上位の需要家または発電所１００のどれかが設備の定期点検または故障などで一時的に脱退または脱落しても、更に上位の需要家または発電所１００に接続できるように、上位接続先の情報を複数個格納する上位接続先との接続管理情報メモリ１２０を備え、一段上位の需要家または発電所１００への複数本の回線を確保しておく。【選択図】        図１
2006025490.tif 000002
【特許請求の範囲】
【請求項１】
階層的に接続された複数の需要家または発電所のうち最上位層の需要家または発電所とセンターシステムとが接続され前記センターシステムが前記複数の需要家または発電所の情報を収集し管理する電力需給管理システムにおいて、
前記需要家または発電所が、それぞれ複数の上位への接続先情報を格納する接続管理情報メモリと、通信中の上位接続先が通信を停止したときに前記接続先情報を参照して他の接続先に切り換える通信制御装置とを備えたことを特徴とする電力需給管理システム。
【請求項２】
複数に分割された各管理区域内で階層的に接続された複数の需要家または発電所のうち最上位層の需要家または発電所とセンターシステムとが接続され前記センターシステムが前記複数の需要家または発電所の情報を収集し管理する電力需給管理システムにおいて、
前記需要家または発電所が、属する管理区域内でそれぞれ複数の上位への接続先情報を格納する接続管理情報メモリと、通信中の上位接続先が通信を停止したときに前記接続先情報を参照して他の接続先に切り換える通信制御装置とを備えたことを特徴とする電力需給管理システム。
【請求項３】
階層的に接続された複数の需要家または発電所のうち最上位層の需要家または発電所とセンターシステムとが接続され前記センターシステムが前記複数の需要家または発電所の情報を収集し管理する電力需給管理システムにおいて、
前記需要家または発電所が、それぞれ複数の上位への接続先情報を格納する接続管理情報メモリと、通信中の上位接続先が通信を停止したときに前記接続先情報を参照して他の接続先に切り換える通信制御装置とを備え、
前記センターシステムが、前記需要家または発電所への接続先情報を格納する接続管理情報メモリと、当該接続先情報を参照して前記需要家または発電所内の前記接続管理メモリの接続先情報を書換える接続先情報の書換え指令手段とを備えたことを特徴とする電力需給管理システム。
【請求項４】
複数に分割された各管理区域内で階層的に接続された複数の需要家または発電所のうち最上位層の需要家または発電所とセンターシステムとが接続され前記センターシステムが前記複数の需要家または発電所の情報を収集し管理する電力需給管理システムにおいて、
前記需要家または発電所が、属する管理区域内でそれぞれ複数の上位への接続先情報を格納する接続管理情報メモリと、通信中の上位接続先が通信を停止したときに前記接続先情報を参照して他の接続先に切り換える通信制御装置とを備え、
前記センターシステムが、前記需要家または発電所への接続先情報を格納する接続管理情報メモリと、当該接続先情報を参照して前記需要家または発電所内の前記接続管理メモリの接続先情報を書換える接続先情報の書換え指令手段とを備えたことを特徴とする電力需給管理システム。
【請求項５】
請求項１ないし５のいずれか一項に記載の電力需給管理システムにおいて、
前記センターシステムが、前記需要家または発電所に情報の転送を要求する手段を備え、
前記需要家または発電所が、当該転送要求に応じて情報を転送することを特徴とする電力需給管理システム。
【請求項６】
請求項１ないし５のいずれか一項に記載の電力需給管理システムにおいて、
前記上位の需要家または発電所が、情報を蓄積し一括送信する手段を備えたことを特徴とする電力需給管理システム。
【請求項７】
請求項１ないし６のいずれか一項に記載の電力需給管理システムにおいて、
前記通信制御装置が、いずれかの上位接続先と正常に通信できる間は接続先を固定することを特徴とする電力需給管理システム。
【請求項８】
階層的に接続された複数の需要家または発電所のうち最上位層の需要家または発電所とセンターシステムとが接続され前記センターシステムが前記複数の需要家または発電所の情報を収集し管理する電力需給管理システムにおいて、
複数の上位への接続先情報を格納する接続管理情報メモリと、通信中の上位接続先が通信を停止したときに前記接続先情報を参照して他の接続先に切り換える通信制御装置とを備えたことを特徴とする需要家。
【請求項９】
階層的に接続された複数の需要家または発電所のうち最上位層の需要家または発電所とセンターシステムとが接続され前記センターシステムが前記複数の需要家または発電所の情報を収集し管理する電力需給管理システムにおいて、
複数の上位への接続先情報を格納する接続管理情報メモリと、通信中の上位接続先が通信を停止したときに前記接続先情報を参照して他の接続先に切り換える通信制御装置とを備えたことを特徴とする発電所。
【請求項１０】
階層的に接続された複数の需要家または発電所のうち最上位層の需要家または発電所とセンターシステムとが接続され前記センターシステムが前記複数の需要家または発電所の情報を収集し管理する電力需給管理システムにおいて、
それぞれ複数の上位への接続先情報を格納する接続管理情報メモリと通信中の上位接続先が通信を停止したときに前記接続先情報を参照して他の接続先に切り換える通信制御装置とを備える前記需要家または発電所への接続先情報を格納する接続管理情報メモリと、当該接続先情報を参照して前記需要家または発電所内の前記接続管理メモリの接続先情報を書換える接続先情報の書換え指令手段とを備えたことを特徴とするセンターシステム。
【発明の詳細な説明】
【技術分野】
【０００１】
本発明は、電力需給管理システムに係り、特に、電力量などの情報を収集する際の管理センターシステム側における通信処理の負荷を分散し軽減する手段に関する。
【背景技術】
【０００２】
電力需給管理システム、特に電力小売りが自由化された後の小売需給管理システムにおいては、既存電力会社のような専用のパケット通信網などを所持していないので、インターネットや公衆回線を介して各需要家や発電所の情報をセンターシステムに送信している。
【０００３】
図５は、インターネットや公衆回線を介する現状の電力需給管理システムの一般的構成を示すブロック図である。
【０００４】
需要家または発電所１０は、電力量のような情報を収集し、インターネットや公衆回線などの通信路１１を介してセンターシステム２０に送信する。需要家または発電所１０とセンターシステム２０とは、１対１で対応し、センターシステム２０がデータを一括して収集していた。
【０００５】
従来技術においては、需要家または発電所１０からセンターシステム２０に情報を一斉に送信するので、特に規模が拡大した場合、センターシステム２０の通信処理の負荷が増大するという問題があった。
【０００６】
そこで、監視装置を各被監視機器に対応させて階層的に分散配置し、上位監視装置から階層ごとに任意桁の番号を順次割り当てた機器アドレスを付与し、各監視装置が自装置の番号を上位桁に含む機器アドレスを有する監視装置と被監視機器を自装置の配下として自律的に決定し、この系列の最上位の監視装置が監視と連動制御とを実行し、下位の監視装置が監視用信号と制御用信号とを中継し、監視装置が入力機器の状態を監視して状態変化が生じたとき連動して出力機器を制御する階層型分散機器監視システムが提案されている(例えば特許文献１参照)。
【０００７】
【特許文献１】特開平６−２７４３５９号公報  (第２〜４頁  図１〜図３)
【発明の開示】
【発明が解決しようとする課題】
【０００８】
しかし、電力小売りが自由化された後の小売需給管理システムにおいては、需要家または発電所１０の出入りが基本的に自由であり、特許文献１の階層型分散機器監視システムを応用しようとしても、下位の各需要家または発電所１０と上位の各需要家または発電所１０との間の通信路が１本だけなので、センターシステム２０までの中継路が一意に決まってしまい、中間階層の需要家または発電所１０が設備の定期点検または故障などで一時的に脱退または脱落すると、センターシステム２０によるデータ収集に支障が生じてしまう。
【０００９】
この支障を予防しまたは支障から復旧するには、膨大な人員と費用とが必要になると懸念される。
【００１０】
本発明の目的は、センターシステムへの通信処理の負荷集中を避けながら、中間階層の需要家または発電所が設備の定期点検または故障などで一時的に脱退または脱落しても、各階層の需要家または発電所からの情報を支障なく収集する手段を備えた電力需給管理システムを提供することである。
【課題を解決するための手段】
【００１１】
本発明は、上記目的を達成するために、階層的に接続された複数の需要家または発電所のうち最上位層の需要家または発電所とセンターシステムとが接続されセンターシステムが複数の需要家または発電所の情報を収集し管理する電力需給管理システムにおいて、需要家または発電所が、それぞれ複数の上位への接続先情報を格納する接続管理情報メモリと、通信中の上位接続先が通信を停止したときに接続先情報を参照して他の接続先に切り換える通信制御装置とを備えた電力需給管理システムを提案する。
【００１２】
本発明は、また、複数に分割された各管理区域内で階層的に接続された複数の需要家または発電所のうち最上位層の需要家または発電所とセンターシステムとが接続されセンターシステムが複数の需要家または発電所の情報を収集し管理する電力需給管理システムにおいて、需要家または発電所が、属する管理区域内でそれぞれ複数の上位への接続先情報を格納する接続管理情報メモリと、通信中の上位接続先が通信を停止したときに接続先情報を参照して他の接続先に切り換える通信制御装置とを備えた電力需給管理システムを提案する。
【００１３】
本発明は、さらに、階層的に接続された複数の需要家または発電所のうち最上位層の需要家または発電所とセンターシステムとが接続されセンターシステムが複数の需要家または発電所の情報を収集し管理する電力需給管理システムにおいて、需要家または発電所が、それぞれ複数の上位への接続先情報を格納する接続管理情報メモリと、通信中の上位接続先が通信を停止したときに接続先情報を参照して他の接続先に切り換える通信制御装置とを備え、センターシステムが、需要家または発電所への接続先情報を格納する接続管理情報メモリと、当該接続先情報を参照して需要家または発電所内の接続管理メモリの接続先情報を書換える接続先情報の書換え指令手段とを備えた電力需給管理システムを提案する。
【００１４】
本発明は、複数に分割された各管理区域内で階層的に接続された複数の需要家または発電所のうち最上位層の需要家または発電所とセンターシステムとが接続されセンターシステムが複数の需要家または発電所の情報を収集し管理する電力需給管理システムにおいて、需要家または発電所が、属する管理区域内でそれぞれ複数の上位への接続先情報を格納する接続管理情報メモリと、通信中の上位接続先が通信を停止したときに接続先情報を参照して他の接続先に切り換える通信制御装置とを備え、センターシステムが、需要家または発電所への接続先情報を格納する接続管理情報メモリと、当該接続先情報を参照して需要家または発電所内の接続管理メモリの接続先情報を書換える接続先情報の書換え指令手段とを備えた電力需給管理システムを提案する。
【００１５】
すなわち、需要家または発電所は、それぞれ複数の上位への接続先情報を格納する接続管理情報メモリと、通信中の上位接続先が通信を停止したときに接続先情報を参照して他の接続先に切り換える通信制御装置とを備える。
【００１６】
また、需要家または発電所が、このように、それぞれ複数の上位への接続先情報を格納する接続管理情報メモリと通信中の上位接続先が通信を停止したときに接続先情報を参照して他の接続先に切り換える通信制御装置とを備えた構成に対応して、センターシステムは、需要家または発電所への接続先情報を格納する接続管理情報メモリと、当該接続先情報を参照して需要家または発電所内の接続管理メモリの接続先情報を書換える接続先情報の書換え指令手段とを備えることができる。
【００１７】
センターシステムが、需要家または発電所に情報の転送を要求する手段を備え、需要家または発電所が、当該転送要求に応じて情報を転送することも可能である。
【００１８】
上位の需要家または発電所は、情報を蓄積し一括送信する手段を備えてもよい。
【００１９】
通信制御装置は、いずれかの上位接続先と正常に通信できる間は接続先を固定する。
【発明の効果】
【００２０】
本発明においては、センターシステムと直接通信する階層の需要家または発電所を除いて、各階層の需要家または発電所に一段上位の需要家または発電所への複数の通信路を設定したので、一段上位の需要家または発電所のどれかが設備の定期点検または故障などで一時的に脱退または脱落しても、センターシステムまでの通信路が確保され、センターシステムによるデータ収集を支障なく続行できる。
【発明を実施するための最良の形態】
【００２１】
次に、図１〜図４を参照して、本発明による電力需給管理システムの実施例を説明する。
【実施例１】
【００２２】
図１は、本発明による電力需給管理システムの実施例１の系統構成を示す図である。
【００２３】
需要家または発電所１００は、通信回線１０１によって、上位の需要家または発電所１００に接続され、最上位の需要家または発電所１００は、センターシステム２００に接続されている。
【００２４】
本発明の需要家または発電所１００は、一段上位の需要家または発電所１００のどれかが設備の定期点検または故障などで一時的に脱退または脱落しても、更に上位の需要家または発電所１００に接続するように、上位接続先の情報を複数個格納する上位接続先との接続管理情報メモリ１２０を備え、一段上位の需要家または発電所１００への複数本の回線を確保してある。
【００２５】
なお、ここでは、図が煩雑になるのを避けるために、最下位の需要家または発電所１００のみに、一段上位の需要家または発電所１００への複数本の回線を図示してあるが、中間層の需要家または発電所１００にも、同様に、一段上位の需要家または発電所１００への複数本の回線を確保しておく。
【００２６】
中間層の需要家または発電所１００に備えられた接続管理情報メモリ１２０においては、上位接続先のみならず、下位接続先からの接続情報も格納し、管理するようになっている。
【００２７】
このような階層構造にすると、センターシステム２００に接続する通信回線１０１の数が階層化構造により集約されるので、センターシステム２００の通信処理の負荷を中間層の需要家または発電所１００に分配して担当させ、センターシステム２００の通信処理の負荷を軽減できる。
【００２８】
図２は、実施例１における接続先の選択方法を示す図である。
【００２９】
本発明においては、これまで仲立ちとなっていた中間層の需要家または発電所１００が設備の定期点検または故障などで一時的に脱退または脱落しても、下位の需要家または発電所１００の通信制御装置１１０は、接続先情報１１１を接続管理情報メモリ２２０とやり取りし、一段上位の需要家または発電所１００のうちで正常に機能している需要家または発電所１００を選択する。
【００３０】
このようにすると、多少迂回しても、センターシステム２００と正常に接続され、センターシステムによるデータ収集を支障なく続行できる。
【００３１】
ただし、同一情報の重複送信や通信量の増加を避けるため、一旦確立した通信回線に新たな脱退または脱落が生じない限り、元に戻さずに、そのまま接続を継続するとともに、送信を完了した情報には、タイムスタンプなどの手段により、送信完了を示すフラグを立てて、所定期間自分の所にも保存しておく。
【実施例２】
【００３２】
図３は、本発明による電力需給管理システムの実施例２の系統構成を示す図である。
【００３３】
実施例２は、階層構造を浅くして、一管理区域内３００の情報を集めるサブセンターシステムの役割を果たす需要家または発電所１００を各管理区域３００に配置する方式を採用する。
【００３４】
需要家または発電所１００は、各管理区域３００内では、通信回線１０１により、階層的に接続されていてもよい。
【００３５】
また、信頼性を高めるために、一管理区域内でサブセンターシステムの役割を果たす需要家または発電所１００を多重化し配置することも可能である。
【００３６】
実施例２においては、一管理区域３００内の需要家または発電所１００の上位接続先への情報を最上位の需要家または発電所１００から一括送信するので、管理区域ごとに情報を集約して管理／送信できる。
【００３７】
この場合も、図示を省略してあるが、下位の需要家または発電所１００から中間層の需要家または発電所１００へは、複数の通信回線を確保してある。ただし、隣の管理区域の中間層の需要家または発電所１００へは接続せず、各管理区域３００内で複数の通信回線を確保する。
【実施例３】
【００３８】
図４は、本発明による電力需給管理システムの実施例３の系統構成を示す図である。
【００３９】
上記実施例１，実施例２においては、下位の需要家または発電所１００側が、接続先の中間層の需要家または発電所１００を設定する方式であった。
【００４０】
これに対して、ネットワークの効率的運用や偏りの是正を考えると、上位側で接続先の組み替えをした方が良い場合もある。
【００４１】
実施例３は、センターシステム２００側が、接続先のメンテナンスや組み替えを積極的に実行する方式を採用している。センターシステム２００は、下位接続先との接続管理情報メモリ２１０を備え、各需要家または発電所１００は、下位／上位接続先との接続管理情報メモリ２２０を備えている。
【００４２】
センターシステム２００は、下位接続先との接続管理情報メモリ２１０を参照して、接続先情報の書換え指令２１１により、各需要家または発電所１００の下位／上位接続先との接続管理情報メモリ２２０の内容を書換えできる。
【００４３】
この場合も、図示を省略してあるが、下位の需要家または発電所１００から中間層の需要家または発電所１００へは、複数の通信回線を確保してある。
【００４４】
センターシステム２００は、接続された需要家または発電所１００に、例えばＩＰアドレスなどの特定できる情報を下位情報として渡し、情報の転送を要求し、情報が転送されるまで待つことができる。
【００４５】
この方式によると、センターシステム２００から需要家または発電所１００への転送ルートを制御し、情報伝送ルートを平準化したり、障害のあるルートを避けたりできる。
【００４６】
また、実施例３では、下位から情報を送る際に、上位からの要求に応じて送信することも可能である。センターシステム２００は、ここでは図示していないが、接続先情報の書換え指令２１１と同様に、トリガ信号を需要家または発電所１００に送信し、需要家または発電所１００は、通信回線１０１を介して、情報を上位に向けて送信する。
【００４７】
この機能により、センターシステム２００は、需要家または発電所１００から同期した信号を受信できる。信号中に、時刻信号を入れてもよい。ＧＰＳなどの時刻同期装置を採用すれば、同期精度を高めることも可能である。
【００４８】
いずれの実施例においても、接続管理情報メモリ１２０には、下位の需要家または発電所１００から受信した情報を保管し、自情報とともに送信してもよい。
【００４９】
その際に、時刻で同期して送信したり、所定の情報がたまった時点で送信することが可能である。
【図面の簡単な説明】
【００５０】
【図１】本発明による電力需給管理システムの実施例１の系統構成を示す図である。
【図２】実施例１における接続先の選択方法を示す図である。
【図３】本発明による電力需給管理システムの実施例２の系統構成を示す図である。
【図４】本発明による電力需給管理システムの実施例３の系統構成を示す図である。
【図５】従来の電力需給管理システムの一例の系統構成を示す図である。
【符号の説明】
【００５１】
１００  需要家端末または発電端末
１０１  通信回線
１１０  通信制御回路
１１１  接続先情報
１２０  上位接続先との接続管理情報メモリ
２００  センターシステム
２１０  下位接続先との接続管理情報メモリ
２１１  接続先情報の書換え指令
２２０  接続管理情報メモリ
３００  管理区域
【図１】
2006025490.tif 000003
【図２】
2006025490.tif 000004
【図３】
2006025490.tif 000005
【図４】
2006025490.tif 000006
【図５】
2006025490.tif 000007